(57)【要約】【課題】従来の音楽演奏付きの歯ブラシの制約を大いに克服し、ユーザーが歯磨き中に聴きたい音楽をダウンロードあるいは記録、記憶および再生することが可能な口腔管理機器を提供する。【解決手段】口腔管理機器は、使用時に口腔管理機器として好ましいあらゆるタイプの音楽あるいは音声を再生しかつ記録する自由度を、ユーザーに対して与えるものである。上記口腔管理機器は、例えば歯ブラシ等の機器のユーザーに対して口腔予防衛生を与えることが可能なあらゆるデンタル機器であってもよい。【選択図】図１
2006006937.tif 000002
【特許請求の範囲】
【請求項１】
音声を再生記録することが可能な口腔管理機器であって、使用時に口腔内に上記ヘッド部を快適に挿入することを容易にするために上記口腔管理機器のユーザーによって保持されるのに適したハンドル部と、このハンドル部に固定され、上記口腔管理機器のユーザーに口腔予防衛生を与えることが可能なヘッド部とを含み、上記ハンドル部は、記録再生機構と、外部情報媒体接続手段と、電源と、音声出力手段と、上記記録再生機構を制御するための起動手段を含む、口腔管理機器。
【請求項２】
上記口腔管理機器は、歯ブラシである、請求項１記載の口腔管理機器。
【請求項３】
上記口腔管理機器は、デンタルフロス機器である、請求項１記載の口腔管理機器。
【請求項４】
上記記録再生機構は、デジタル記録再生機器である、請求項１記載の口腔管理機器。
【請求項５】
上記記録再生機構は、アナログ記録再生機器である、請求項１記載の口腔管理機器。
【請求項６】
音声を再生するための口腔管理機器であって、音楽受信再生機器と、ＩＣカードと、外部情報媒体接続手段と、電源と、音声出力手段と、上記音楽受信再生機器を制御するための起動手段を含む、口腔管理機器。
【請求項７】
上記音楽受信再生機器は、デジタル音楽受信再生機器である、請求項６記載の口腔管理機器。
【請求項８】
上記音楽受信再生機器は、アナログ音楽受信再生機器である、請求項６記載の口腔管理機器。
【請求項９】
上記ＩＣカードは、書き込み可能なＩＣ記憶カードである、請求項６記載の口腔管理機器。
【請求項１０】
音楽を再生することが可能な口腔管理機器であって、データ格納解読再生機器と、外部情報媒体接続手段と、電源と、音声出力手段と、上記データ格納解読再生機器を制御するための起動手段を含む、口腔管理機器。
【発明の詳細な説明】
【発明の分野】
【０００１】
この発明は、音楽あるいは他の音声情報媒体を記録、再生および再記録する性能を有し、あらゆるタイプの好適な音声情報媒体を再生する自由度をユーザーに対して与える口腔管理機器に関するものである。上記口腔管理機器は、コンパクトディスク、カセット、コンピュータあるいはＭＰ３再生装置等の異なる供給体から音声情報媒体をダウンロード、記録、記憶および再生することが可能な種々のタイプの情報媒体記録機器と共に使用可能である。
【発明の背景】
【０００２】
ユーザーが歯を磨きながら聴けるように楽音あるいは歌を再生する性能を備えた歯ブラシは周知である。種々の音楽演奏付きの歯ブラシは、歯磨きの励行を向上させるために開発されてきた。最も一般的には、音楽演奏付きの歯ブラシは、歯ブラシのハンドル部に内蔵されるか、あるいは上記ハンドル部の外側に取り付けられた音声生成機器を有している。歯ブラシのハンドル部に内蔵されるか、あるいは取り付けられた上記音声生成機器は、一定の音声あるいは音楽的な音色／歌を再生するはずである。上記音楽演奏付きの歯ブラシの例は、ユーザーの歯磨き運動によって音声を生成する音声生成機能を有する歯ブラシアセンブリを開示するクマガイによる特許文献１に開示されている。シェイナー（Ｓｃｈｅｉｎｅｒ）に付与された特許文献１は、歯ブラシのハンドル部上に設けられたスイッチによって駆動される音声生成装置を備えた歯ブラシを開示している。コーダダジー（Ｋｈｏｄａｄａｄｉ）に付与された特許文献３は、歯ブラシのハンドル部に内蔵されたデジタル音声生成装置を備えた音楽演奏付きの歯ブラシを開示している。
【０００３】
上記音楽的および／または音声生成式の歯ブラシが音楽から警告音あるいは歯磨き指導まで変化する音声を与えるものであるが、上述した歯ブラシは、ユーザーがコンパクトディスク、カセット、コンピュータあるいはＭＰ３再生装置等の異なる供給体から音楽をダウンロード、記録、記憶および再生することができない。これは、上記はブラシが時の経過と共に魅力を失い、これにより歯磨きの励行を向上させる問題を解決する効力を失うことになる。
【０００４】
これに関連して、この発明による口腔管理機器は、上述した従来の音楽演奏付きの歯ブラシの制約を大いに克服するものであり、従って、ユーザーが歯磨き中に聴きたい音楽のタイプに変化をもたせるものである。さらに、この発明のユーザーは、時間制限なく、種々の情報媒体供給体から音楽をダウンロードあるいは記録、記憶および再生する性能をも有することになる。
【０００５】
したがって、ユーザーの歯磨き中に種々の音楽タイプをユーザーに与えるために種々の情報媒体供給体から音楽を記録、再記録および再生する性能を有する音楽演奏付きの歯ブラシについて継続的な必要性が存在する。
【特許文献１】米国特許出願２００４／００００１７号
【特許文献２】米国特許第５，５７２，７６２号
【特許文献３】米国特許第６，２０２，２４５号
【発明の開示】
【発明が解決しようとする課題】
【０００６】
この発明の１つの目的は、記録再生機構、情報媒体供給体との接続手段、スピーカーおよび上記記録再生機構を制御する起動手段を含む口腔管理機器を提供することにある。
【０００７】
この発明の他の目的は、集積回路（ＩＣ）チップを有する音楽再生機器、スピーカーおよび上記音楽再生機器を制御するための手段を含む口腔管理機器を提供することにある。
【０００８】
この発明のさらに他の目的は、記憶解読再生機器とスピーカーを含み、外部の入力データに接続可能な口腔管理機器を提供することにある。
【課題を解決するための手段】
【０００９】
この発明の請求項１記載の発明は、音声を再生記録することが可能な口腔管理機器であって、使用時に口腔内に上記ヘッド部を快適に挿入することを容易にするために上記口腔管理機器のユーザーによって保持されるのに適したハンドル部と、このハンドル部に固定され、上記口腔管理機器のユーザーに口腔予防衛生を与えることが可能なヘッド部とを含み、上記ハンドル部は、記録再生機構と、外部情報媒体接続手段と、電源と、音声出力手段と、上記記録再生機構を制御するための起動手段を含むものである。
【００１０】
この発明の請求項６記載の発明は、音声を再生するための口腔管理機器であって、音楽受信再生機器と、ＩＣカードと、外部情報媒体接続手段と、電源と、音声出力手段と、上記音楽受信再生機器を制御するための起動手段を含むものである。
【００１１】
この発明の請求項１０記載の発明は、音楽を再生することが可能な口腔管理機器であって、データ格納解読再生機器と、外部情報媒体接続手段と、電源と、音声出力手段と、上記データ格納解読再生機器を制御するための起動手段を含むものである。
【発明の効果】
【００１２】
この発明によれば、従来の音楽演奏付きの歯ブラシの制約を大いに克服し、ユーザーが歯磨き中に聴きたい音楽をダウンロードあるいは記録、記憶および再生することが可能な口腔管理機器を提供することができるという効果がある。
【発明の概要】
【００１３】
上記目的を達成するために、この発明の第１の実施の形態によれば、記録機構と再生機構を含む口腔治療機構が提供される。上記口腔管理機器は、種々の外部の媒体機器からの音声を記録することが可能であり、種々の外部の媒体機器からの音声を受信する接続手段と、上記記録再生機構を制御する制御手段と、再生した音声を聴くための音声出力手段と、上記再生機器を駆動させるための電力供給手段を含むものである。この実施の形態の上記制御手段は、記録スイッチおよび再生スイッチの形態をとってもよい。上記電力供給手段は直流バッテリあるいは交流電源出力部とのコネクタであってもよい。
【００１４】
この発明の第２の実施の形態によれば、音楽情報書き込み済みの集積回路チップがこの回路チップ上で、書き込まれた音楽を再生するための再生機器のスロット内に挿入可能である取外し可能な音楽再生機器と、上記再生機器を制御するための制御手段と、再生した音声を聴くための音声出力手段と、上記再生機器を駆動させるための電力供給手段を含む口腔管理機器が提供される。上記制御手段は、楽音を生成する再生スイッチである。上記音声出力手段は、スピーカーおよび／または個人的に聴くためのヘッドホンに接続するためのイヤホンである。上記電源は、直流バッテリあるいは交流電源出力部とのコネクタであってもよい。
【００１５】
この発明の第３の実施の形態によれば、コンピュータ上に格納されたファイルからダウンロード可能な音楽を受信するための格納解読再生機器と、この再生機器を外部のコンピュータに接続するための接続手段と、上記再生機器を制御するための制御手段と、再生した音声を聴くための音声出力手段と、上記再生機器を駆動させるための電力供給手段を含む歯ブラシが提供される。上記制御手段は、楽音を生成する再生スイッチである。上記音声出力手段は、スピーカーおよび／または個人的に聴くためのヘッドホンに接続するためのイヤホンである。上記電源は、直流バッテリあるいは交流電源出力部とのコネクタであってもよい。
【発明を実施するための最良の形態】
【００１６】
この発明の特徴および他の目的は、他の利点の組み合わせと共に、次の図面の記述と関連して一層明確になるはずである。
【００１７】
この発明の図１から図３までに示す好適な実施の形態による記録再生機能を備えた口腔管理機器は、添付図面に関連して記述されることになる。
【００１８】
この発明の１つの実施の形態による口腔管理機器は、図１において符号１で概ね示されている。口腔管理機器１は、ハンドル部３に固定されたヘッド部２を含むものである。ヘッド部２は、口腔管理機器１のユーザーに対して口腔予防衛生を与えることが可能である。ハンドル部３は、使用時に口腔内に上記ヘッド部２を快適に挿入することを容易にするために上記口腔管理機器１のユーザーによって保持されるのに適している。ヘッド部２は、任意にハンドル部３から取外し可能であってもよい。上記ヘッド部が取外し可能である場合には、上記ヘッド部は、この技術分野において公知で、摩擦嵌め、ネジ留め、スナップ嵌めおよびこれらと同様の方法、およびこれらの組み合わせを含むが、これらに限定されないあらゆる適切な接続手段によって上記ハンドル部３に取外し可能に取り付けられてもよい。上記ヘッド部２は、ハンドル部３から取外しできず、ハンドル部３と一体構造（図示せず）として構成可能である。上記口腔管理機器が歯ブラシである場合には、ヘッド部２はネック部４と、上記ヘッド部２の表面から延在するブラシ毛５を含めてもよい。上記口腔管理機器がフロス機器である場合には、ヘッド部はデンタルフロスホルダーの形態とされる。上記ヘッド部の正確な形状は、それ自体、勿論、上記口腔管理機器がユーザーに口腔予防衛生機能を与えることが可能でありかつ歯ブラシ、フロス機器あるいはこの技術分野において知られた他の周知のあらゆるデンタル治療機器であってもよいという条件で、この発明にとって臨界的ではない。
【００１９】
上記ハンドル部３は、中空の内室、外表面、近位端および遠位端を有する概ね円筒状の形状を有している。ハンドル部３は、歯ブラシを安定して取り扱うためのグリップ部６を有している。上記グリップ部は、熱可塑性エラストマー（ＴＰＥ）、シリコン、ポリウレタン、硬化ゴムあるいは当業者に公知の他のあらゆるグリップ材料製であってもよい。ハンドル部３は、不活性ガスあるいはピンプロセス等の従来のプラスチック形成プロセスを通じて形成可能な中空の内室７を含むものである。上記中空の内室７は電源１０、記録再生機器１１を収容している。図１に示されているように、記録再生機器は一体型ユニットとして形成されている。他の実施の形態（図示せず）では、記録ユニットは、記録プロセスを口腔管理機器の外部で行うことを可能にするために、再生ユニットから分離されかつ取外し可能であってもよい。記録再生機器１１は、電源１０と連結されている。電源１０は、バッテリ等の直流電源あるいは交流電源出力部であってもよいが、これらに限定されるものではない。直流電源がバッテリである場合には、バッテリは、Ｎ型、ＡＡ型、ＡＡＡ型あるいは再充電式を含む、あらゆる寸法の従来バッテリとすることができるが、これらに限定されるものではない。バッテリは、再充電式あるいは使い捨て式であってもよい。記録再生機器１１は、デジタル記録装置および再生ユニット、あるいはアナログ記録装置および再生ユニットとすることができるが、これらに限定されるものではない。記録再生機器１１は、好ましくは、時間制限なく、音楽を記録および再記録することができる。好適な実施の形態によれば、記録された音声媒体の継続時間は、１分から３分までであり、最も好ましくは２分である。
【００２０】
ハンドル部３は、電源１０を挿入するための取外し可能な開口部９をさらに含むものである。取外し可能な開口部９は、好ましくはハンドル部３の遠位端に形成され、かつ任意に、音声出力源（音声出力手段）１４を含めてもよい。音声出力源１４は、スピーカー、イヤホン、ヘッドセット、圧電変換器、フレームスピーカーあるいはコンデンサとすることができるが、これらに限定されるものではない。音声出力機器１４は、ハンドル部３の長さ方向に沿った、いずれの位置に配置されてもよく、使用時にユーザーの手によって覆われることがないハンドル部３の一部に配置されることが好ましい。ハンドル部３は、記録再生機器１１を制御するための制御手段８を備えている。好適な実施の形態では、制御手段８は、ハンドル部３の外表面上に配置されている。制御手段８は、押しボタン、スイッチ手段、音声による起動、動作による起動およびこれらと同様の形態であってもよい。ハンドル部３は、記録再生機器１１を外部情報媒体機器に接続するのに適した接続手段１３をさらに備えている。接続手段１３は、無線接続あるいは直接接続とすることができ、互換性がある外部情報媒体機器からのデジタルあるいはアナログの音楽あるいは音声のいずれかを転送することが可能である。接続手段１３を通じて、音楽演奏付きの歯ブラシ１に接続することができる適切な情報媒体機器は、ＣＤ再生装置、カセット再生装置、レコード再生装置、ＭＰ３再生装置、あるいはこの技術分野における当業者にとって種々のあらゆる公知音楽生成機器である。
【００２１】
ここで、図２を参照すると、この発明の第２の実施の形態による他の口腔管理機器２１が図２に示されている。この実施の形態の口腔管理機器２１は、音楽受信可能な再生機器３５を内蔵している。この発明の実施の形態によれば、再生機器３５は、取外し可能な格納機器上で既に記録された音楽を再生する。音楽受信可能な再生機器３５は、ハンドル部２３の内部に収容されている。再生機器３５は、図示の目的では、書き込み済みのＩＣ記憶カード１２である上記取り外し可能な格納機器を受け入れるためにハンドル部２３の外表面に向けて延在する内室２８を有している。書き込み済みのＩＣ記憶カード１２は、所定量の情報を記憶することができる。書き込み済みのＩＣ記憶カード１２は、ＨＩＴ−ＣＬＩＰＳ（登録商標）としてハズブロカンパニー（Ｈａｓｂｒｏ  Ｃｏｍｐａｎｙ）から市販されている。内室２７も再生機器３５と連結された電源２９を収容している。ハンドル部２３の遠位端は、歯磨き中にユーザーによって聴取されるべき音声を出力する音声出力手段３１を配している。
【００２２】
音楽演奏付きの歯ブラシ２１は、取外し可能なヘッド部２２と、ハンドル部２３を含むものである。ヘッド部２２は、この技術分野において公知で、摩擦嵌め、ネジ留め、スナップ嵌め、あるいはあらゆる適切な接続手段によって上記ハンドル部３に取外し可能に取り付けることができる。ヘッド部２２は、同様に、取外しできない部材とすることもできる。ヘッド部２２は、ネック部２４とブラシ毛２５から構成されている。ヘッド部２２は、歯ブラシのヘッド部あるいはデンタルフロスホルダーあるいはこの技術分野において公知のあらゆるデンタル機器とすることができるが、これらに限定されるものではない。ハンドル部２３は、中空の内室２７、外表面、近位端および遠位端を有する概ね円筒状の形状を有している。ハンドル部２３は、歯ブラシを安定して取り扱うためのグリップ部２６を有している。
【００２３】
発光ダイオード表示画面３２は、再生機器３５のモードあるいは機能を閲覧するためにハンドル部２３の外表面上に配置されている。制御パネル３３は、再生機器３５の再生を制御するために、上記パネル上に配置された制御用押しボタン３４を有するハンドル部２３の外表面上に配置されている。複数の接続部３６は、外部の機器と接続するために上記制御パネル３３とは反対側の外表面上に配置されている。
【００２４】
ここで、図３を参照すると、この発明の第３の実施の形態による他の音楽演奏付きの歯ブラシ４１が図３に示されている。この実施の形態の音楽演奏付きの歯ブラシは、データ格納解読再生機器４５を内蔵している。データ格納解読再生機器４５は、ＭＰ３再生装置、Ｍ４Ｐ式、ＲＡ式、ＷＡＶ式およびＤＩＭＩ式とすることができるが、これらに限定されるものではない。音楽演奏付きの歯ブラシ４１は、取外し可能なヘッド部４２とハンドル部４３を含むものである。ヘッド部４２は、この技術分野において公知で、摩擦嵌め、ネジ留め、スナップ嵌め、あるいはあらゆる適切な接続手段によって上記ハンドル部４３に取外し可能に取り付けることができる。ヘッド部４２は、同様に、取外しできない部材とすることもできる。ヘッド部４２は、ネック部４４とブラシ毛４６から構成されている。ヘッド部４２は、歯ブラシのヘッド部あるいはデンタルフロスホルダーあるいはこの技術分野において公知のあらゆるデンタル機器とすることができるが、これらに限定されるものではない。ハンドル部４３は、中空の内室４７、外表面、近位端および遠位端を有する概ね円筒状の形状を有している。ハンドル部４３は、歯ブラシを安定して取り扱うためのグリップ部４８を有している。
【００２５】
内室４７は、データ格納解読再生機器４５、電源４０および音声出力機器５０を収容している。電源４０は、直流バッテリあるいは交流電源とすることができるが、これらに限定されるものではない。直流バッテリは、Ｎ型、ＡＡ型、ＡＡＡ型あるいは再充電式とすることができるが、これらに限定されるものではない。音声出力機器５０は、スピーカー、ヘッドホンあるいはマイクロホンとすることができるが、これらに限定されるものではない。
【００２６】
ハンドル部４３の外表面は、データ格納解読再生機器４５を制御するための制御用押しボタン５２を備えた制御パネル５１と、上記データ格納解読再生機器４５のモードあるいは機能を閲覧するための任意の発光ダイオード表示画面５４を含むものである。複数の配線接続ポート５３は、ハンドル部の外表面上に配置されている。上記複数の配線接続ポート５３は、ＵＳＢ式、Ｒ２３２式、ＲＳ−４２２式あるいはＲＳ−４８５式とすることができるが、これらに限定されるものではない。各接続ポートは、上記データ格納解読再生機器４５上に保存されるべき種々の情報媒体機器からデータをダウンロードするのに役立つものである。
【００２７】
この発明の第１の実施の形態の使用時には、口腔管理機器１は、ユーザーが配線を接続手段１３およびＣＤ再生装置等の情報媒体再生装置の音声出力ポートに取り付ける場合に機能するものである。一旦、上記接続がなされると、ユーザーは、記録を始めるための制御ボタンを押すことができ、記録が終了した後には、音楽が記録再生機器１１上に保存されかつユーザーの選択時に再生可能となる。当初の記録に加えて、ユーザーは時間制限なく、最新の記録上に再記録して記録再生機器１１上に格納された音楽を変更してもよい。
【００２８】
この発明の第２の実施の形態は、書き込み済みのＩＣ記憶カード１２および音楽受信再生機器３５と共に機能する。ユーザーは、開口部２８内に挿入可能な所望の書き込み済みのＩＣ記憶カードから選択することができる。制御ボタン３４は、上記ＩＣカード上で、記録された音楽の再生を開始するか、あるいは停止する。一旦、再生が開始されると、音声は、音声出力源３１を通じて出力されることになる。使用後、ユーザーは、異なるタイプの音楽を聴くために異なるＩＣカードを選択することができる。
【００２９】
この発明の第３の実施の形態は、データ格納解読再生機器４５を使用する。この実施の形態の口腔管理機器は、コンピュータのＵＳＢポートからの接続配線を使用しており、ウェーブファイルあるいは他のあらゆる互換性のあるファイルタイプはその後に、蒸気コンピュータから歯ブラシのデータ格納解読再生機器にダウンロードされる。情報のダウンロードが終了した後に、データ格納解読再生機器は、ユーザーが歯磨き、フロスあるいはこの技術分野において公知の他のあらゆる口腔処置をしそうなときに、再生されるべき情報を格納しているはずである。異なる情報は、種々の楽音を時間制限なく格納することが可能である。
【００３０】
上記種々の実施の形態において、この発明の種々の修正はこの技術分野における当業者にとって明白であるはずである。
【００３１】
したがって、上述した内容はこの発明の原理のみを示したものとみなされる。これにより、上述した説明の代わりに、添付した請求項によって示された発明の範囲、および上記請求項と等価の目的および範囲内に包含される全ての変更は、その範囲内に受け入れられるべきであると意図されている。
【００３２】
この発明の具体的な実施態様は以下の通りである。
（１）音声を再生記録することが可能な口腔管理機器であって、使用時に口腔内に上記ヘッド部を快適に挿入することを容易にするために上記口腔管理機器のユーザーによって保持されるのに適したハンドル部と、このハンドル部に固定され、上記口腔管理機器のユーザーに口腔予防衛生を与えることが可能なヘッド部とを含み、上記ハンドル部は、記録再生機構と、外部情報媒体接続手段と、電源と、音声出力手段と、上記記録再生機構を制御するための起動手段を含む、口腔管理機器。
（２）上記口腔管理機器は、歯ブラシである、実施態様１記載の口腔管理機器。
（３）上記口腔管理機器は、デンタルフロス機器である、実施態様１記載の口腔管理機器。
（４）上記記録再生機構は、デジタル記録再生機器である、実施態様１記載の口腔管理機器。
（５）上記記録再生機構は、アナログ記録再生機器である、実施態様１記載の口腔管理機器。
【００３３】
（６）音声を再生するための口腔管理機器であって、音楽受信再生機器と、ＩＣカードと、外部情報媒体接続手段と、電源と、音声出力手段と、上記音楽受信再生機器を制御するための起動手段を含む、口腔管理機器。
（７）上記音楽受信再生機器は、デジタル音楽受信再生機器である、実施態様６記載の口腔管理機器。
（８）上記音楽受信再生機器は、アナログ音楽受信再生機器である、実施態様６記載の口腔管理機器。
（９）上記ＩＣカードは、書き込み可能なＩＣ記憶カードである、実施態様６記載の口腔管理機器。
（１０）上記ＩＣカードは、書き込み済みＩＣ記憶カードである、実施態様６記載の口腔管理機器。
【００３４】
（１１）音楽を再生することが可能な口腔管理機器であって、データ格納解読再生機器と、外部情報媒体接続手段と、電源と、音声出力手段と、上記データ格納解読再生機器を制御するための起動手段を含む、口腔管理機器。
（１２）上記口腔管理機器は、歯ブラシである、実施態様１１記載の口腔管理機器。
（１３）上記口腔管理機器は、デンタルフロス機器である、実施態様１１記載の口腔管理機器。
（１４）上記データ格納解読再生機器は、ＭＰ３再生装置である、実施態様１１記載の口腔管理機器。
【図面の簡単な説明】
【００３５】
【図１】この発明の第１の実施の形態による口腔管理機器を示す右側面図である。
【図２】この発明の第２の実施の形態による口腔管理機器を示す右側面図である。
【図３】この発明の第３の実施の形態による口腔管理機器を示す右側面図である。
【符号の説明】
【００３６】
１  口腔管理機器
２  ヘッド部
３  ハンドル部
４  ネック部
５  ブラシ毛
６  グリップ部
７  中空の内室
８  制御手段（起動手段）
９  開口部
１０  電源
１１  記録再生機器（記録再生機構）
１２  ＩＣ記憶カード
１３  接続手段（外部情報媒体接続手段）
１４  音声出力源（音声出力手段）
２１  口腔管理機器
２２  ヘッド部
２３  ハンドル部
２４  ネック部
２５  ブラシ毛
２６  グリップ部
２７  内室
２８  内室
２９  電源
３１  音声出力手段（音声出力手段）
３２  発光ダイオード表示画面
３３  制御パネル（起動手段）
３４  制御用押しボタン（起動手段）
３５  再生機器（音楽受信再生機器）
４１  音楽演奏付きの歯ブラシ
４２  ヘッド部
４３  ハンドル部
４４  ネック部
４５  データ格納解読再生機器
４６  ブラシ毛
４７  中空の内室
４８  グリップ部
５０  音声出力機器（音声出力手段）
５１  制御パネル（起動手段）
５２  制御用押しボタン（起動手段）
５３  配線接続ポート（外部情報媒体接続手段）
５４  発光ダイオード表示画面
【図１】
2006006937.tif 000003
【図２】
2006006937.tif 000004
【図３】
2006006937.tif 000005
【外国語明細書】
2006006937000001.pdf